(57)【特許請求の範囲】
【請求項１】
洗浄液の圧力を増加させるための高圧ポンプ（１６）を有する高圧洗浄機器（１２）を含み、
前記洗浄液を吐出するための２つ以上の吐出ユニット（４８、５２、５６、６０、６４、７０）を含み、該２つ以上の吐出ユニット（４８、５２、５６、６０、６４、７０）が、互いに異なると共に、前記高圧ポンプ（１６）のポンプ出口（２２）と選択的に流体連通することができる、
高圧洗浄システムであって、
前記吐出ユニット（４８、５２、５６、６０、６４、７０）が前記高圧洗浄システム（１０）の作動ユニット（２６）に接続可能である、又は、作動ユニット（２６）が少なくとも１つの吐出ユニット（４８、５２、５６、６０、６４、７０）上に配置され、かつ
前記高圧洗浄システム（１０）が入力ユニット（９６）を含み、該入力ユニット（９６）を介して少なくとも１つの出力パラメータがユーザにより事前決定可能であり、かつ
前記少なくとも１つの出力パラメータが、前記事前決定に従い、前記高圧洗浄システム（１０）の前記入力ユニット（９６）に連結された制御ユニット（８２、９８）により調節可能であり、かつ
前記高圧洗浄システム（１０）が、前記制御ユニット（８２、９８）に連結された出力ユニット（１００）を含み、前記出力ユニット（１００）が、該出力ユニット（１００）上に、前記ユーザにより行われた前記事前決定に応じて指示（１１６）を提供することができ、前記指示（１１６）が、少なくとも１つの吐出ユニット（４８、５２、５６、６０、６４、７０）の勧め（１１８、１２０、１２２）を含む、
高圧洗浄システム。
【請求項２】
請求項１に記載の高圧洗浄システムであって、事前決定可能な前記少なくとも１つの出力パラメータが、前記洗浄液の圧力、前記洗浄液の体積流量、及び／又は、前記洗浄液に混合可能な洗浄薬品の用量を含むこと、を特徴とする高圧洗浄システム。
【請求項３】
請求項１又は２に記載の高圧洗浄システムであって、前記少なくとも１つの出力パラメータが、前記ユーザにより行われた前記事前決定に応じて、前記高圧洗浄機器（１２）により制御可能であること、を特徴とする高圧洗浄システム。
【請求項４】
請求項１〜３のいずれか１項に記載の高圧洗浄システムであって、２つ以上の吐出ユニット（４８、５２、５６、６０、６４、７０）が、前記作動ユニット（２６）に選択的に接続可能であること、を特徴とする高圧洗浄システム。
【請求項５】
請求項１〜４のいずれか１項に記載の高圧洗浄システムであって、前記高圧洗浄システム（１０）が吐出装置（３４）を含み、該吐出装置（３４）が前記作動ユニット（２６）に接続可能である、又は、該吐出装置（３４）上に作動ユニット（２６）が配置され、かつ、該吐出装置（３４）が２つ以上の吐出ユニットを含み、該２つ以上の吐出ユニットのうちの１つが、選択的に選択されて前記ポンプ出口（２２）と流体連通することができること、を特徴とする高圧洗浄システム。
【請求項６】
請求項１〜５のいずれか１項に記載の高圧洗浄システムであって、前記２つ以上の吐出ユニット（４８、５２、５６、６０、６４、７０）が、以下、
‐高圧フラットジェットノズル（４２、５０）、
‐高圧回転ノズル（４４、５４）、
‐高圧ピンポイントジェットノズル、
‐低圧洗浄剤ノズル（４６）、
‐泡ノズル（６６）、
‐ウォッシュブラシ（５８、６２）、
‐フード（７４）と、前記フード（７４）により境界された収容空間（７６）に移動可能に配置され、加圧洗浄液により駆動可能であるノズル組立体（７８）とを含む表面クリーナ（７２）、
のうちの少なくとも１つを含むこと、を特徴とする高圧洗浄システム。
【請求項７】
請求項１〜６のいずれか１項に記載の高圧洗浄システムであって、前記少なくとも１つの出力パラメータが、以下、
‐前記少なくとも１つの出力パラメータの値又は値の範囲、
‐前記高圧洗浄機器（１２）の作動レベルであって、異なる作動レベルにおいて、少なくとも１つの出力パラメータが、異なる値又は値の範囲を有する、作動レベル、
‐特に被洗浄物体に関する洗浄プロフィルの選択肢であって、異なる洗浄プロフィルにおいて、少なくとも１つの出力パラメータが異なる値又は値の範囲を有する、選択肢、
のうちの少なくとも１つにより事前決定可能であること、を特徴とする高圧洗浄システム。
【請求項８】
請求項７に記載の高圧洗浄システムであって、２つ以上の作動レベル及び／又は洗浄プロフィルが、互いに相違する記号（１３０）、例えば絵文字により符号化されたやり方で、前記ユーザに対して前記入力ユニット（９６、１２６、１３６）上で選択可能に提示される又は選択可能に提示可能であること、を特徴とする高圧洗浄システム。
【請求項９】
請求項７又は８に記載の高圧洗浄システムであって、前記高圧洗浄システム（１０）が、前記制御ユニット（８２、９８）に連結された又は前記制御ユニット（８２、９８）に一体化された記憶ユニット（１０６）を含み、該記憶ユニット（１０６）に、作動レベル及び／又は洗浄プロフィルが、前記入力ユニット（９６、１２６、１３６）を介して選択可能であるやり方で記憶され、前記作動レベル又は前記洗浄プロフィルに関連する少なくとも１つの出力パラメータの値又は値の範囲が記憶されること、を特徴とする高圧洗浄システム。
【請求項１０】
請求項９に記載の高圧洗浄システムであって、
空間的に遠隔であるデータ処理装置（１４２）との好ましくは無線のデータ接続が、前記制御ユニット（８２、９８）を介して確立可能であること、及び
作動レベル及び／又は洗浄プロフィルに関するデータが、前記データ処理装置（１４２）から前記制御ユニット（８２、９８）に送信可能であると共に、前記ユーザによる選択のために前記記憶ユニット（１０６）に記憶可能であること、
を特徴とする高圧洗浄システム。
【請求項１１】
請求項１〜１０のいずれか１項に記載の高圧洗浄システムであって、
前記出力ユニット（１００、１２６、１３６）が、視覚的出力ユニット（１００、１２６、１３６）である又は視覚的出力ユニット（１００、１２６、１３６）を含むこと、及び
前記指示（１１６）、特に前記勧めが、前記出力ユニット（１００、１２６、１３６）上に提示可能であること、
を特徴とする高圧洗浄システム。
【請求項１２】
請求項１１に記載の高圧洗浄システムであって、前記少なくとも１つの出力パラメータの前記ユーザの事前決定が、前記出力ユニット（１００、１２６、１３６）上に提示可能であること、を特徴とする高圧洗浄システム。
【請求項１３】
請求項１〜１２のいずれか１項に記載の高圧洗浄システムであって、前記入力ユニット（９６、１２６、１３６）が、前記少なくとも１つの出力パラメータを事前決定するための少なくとも１つのスイッチ、ボタン（１０８、１１０）、回転ノブ、及び／又はタッチセンサ式スクリーンを含むこと、を特徴とする高圧洗浄システム。
【請求項１４】
請求項１〜１３のいずれか１項に記載の高圧洗浄システムであって、
前記入力ユニット（９６、１２６、１３６）及び前記出力ユニット（１００、１２６、１３６）が、一体化型入力／出力ユニット（１０２、１２４）を形成し、
特に、前記一体化型入力／出力ユニット（１０２、１２４）が、前記事前決定を受信するための及び前記指示（１１６）を出力するためのタッチセンサ式スクリーン（１２８）を含むこと、
を特徴とする高圧洗浄システム。
【請求項１５】
請求項１〜１４のいずれか１項に記載の高圧洗浄システムであって、前記制御ユニット（９８）が、少なくとも一部は、前記入力ユニット（９６、１２６、１３６）及び／又は前記出力ユニット（１００、１２６、１３６）を備えた一体化型ユニット（１０２、１２４）を形成すること、を特徴とする高圧洗浄システム。
【請求項１６】
請求項１〜１５のいずれか１項に記載の高圧洗浄システムであって、前記入力ユニット（９６、１２６）、及び／又は前記出力ユニット（１００、１２６）、及び／又は前記制御ユニット（９８）が、少なくとも一部は、前記作動ユニット（２６）上に配置される又は前記作動ユニット（２６）に含まれること、を特徴とする高圧洗浄システム。
【請求項１７】
請求項１〜１６のいずれか１項に記載の高圧洗浄システムであって、前記入力ユニット、及び／又は前記出力ユニット、及び／又は前記制御ユニットが、少なくとも一部は、前記高圧洗浄機器（１２）上に配置される又は前記高圧洗浄機器（１２）に含まれること、を特徴とする高圧洗浄システム。
【請求項１８】
請求項１〜１７のいずれか１項に記載の高圧洗浄システムであって、前記入力ユニット（１３６）、及び／又は前記出力ユニット（１３６）、及び／又は前記制御ユニットが、少なくとも一部は、好ましくは携帯用付属装置（１３２）上、特に携帯用コンピュータ上又はスマートフォン（１３４）上に配置される、又は、好ましくは携帯用付属装置（１３２）、特に携帯用コンピュータ又はスマートフォン（１３４）に含まれること、を特徴とする高圧洗浄システム。
【請求項１９】
請求項１６に記載の高圧洗浄システムであって、データが、前記作動ユニット（２６）から前記高圧洗浄機器（１２）に、並びに／或いはその逆に、無線で送信可能であること、を特徴とする高圧洗浄システム。
【請求項２０】
請求項１８に記載の高圧洗浄システムであって、データが、前記作動ユニット（２６）と前記付属装置（１３２）の双方又は前記付属装置（１３２）から前記高圧洗浄機器（１２）に、並びに／或いはその逆に、無線で送信可能であること、を特徴とする高圧洗浄システム。
【請求項２１】
請求項１〜２０のいずれか１項に記載の高圧洗浄システムであって、前記高圧洗浄システム（１０）が、前記制御ユニット（８２、９８）に連結された検出ユニット（１４８）を含み、該検出ユニット（１４８）により、前記作動ユニット（２６）に接続される前記吐出ユニット（４８、５２、５６、６０、６４、７０）又は前記作動ユニット（２６）上に配置される前記吐出ユニット（４８、５２、５６、６０、６４、７０）が測定可能であること、を特徴とする高圧洗浄システム。
【請求項２２】
請求項２１に記載の高圧洗浄システムであって、前記検出ユニット（１４８）が、前記作動ユニット（２６）上に配置される又は前記作動ユニット（２６）に含まれること、を特徴とする高圧洗浄システム。
【請求項２３】
請求項２１又は２２に記載の高圧洗浄システムであって、前記吐出ユニット（４８、５２、５６、６０、６４、７０）が、前記勧めに従った吐出ユニット（４８、５２、５６、６０、６４、７０）から外れる場合に、対応する指示（１１８）が、前記制御ユニット（８２、９８）により前記出力ユニット（１００、１２６、１３６）上に提供可能であること、を特徴とする高圧洗浄システム。
【請求項２４】
洗浄液の圧力を増加させるための高圧ポンプを有する高圧洗浄機器を含み、
前記洗浄液を吐出するための２つ以上の吐出ユニットを含み、該２つ以上の吐出ユニットが互いに異なると共に、前記高圧ポンプのポンプ出口と選択的に流体連通することができる、
高圧洗浄システムを作動させるための方法であって、
前記吐出ユニットが前記高圧洗浄システムの作動ユニットに接続可能である、又は、作動ユニットが少なくとも１つの吐出ユニット上に配置され、かつ
前記高圧洗浄システムが入力ユニットを含み、該入力ユニットを介して少なくとも１つの出力パラメータがユーザにより事前決定され、かつ
前記少なくとも１つの出力パラメータが、前記事前決定に従い、前記高圧洗浄システムの前記入力ユニットに連結された制御ユニットにより調節され、かつ
前記高圧洗浄システムが、前記制御ユニットに連結された出力ユニットを含み、該出力ユニット上に、前記ユーザにより行われた前記事前決定に応じて指示が提供され、前記指示が、少なくとも１つの吐出ユニットの勧めを含む、
方法。
【発明の詳細な説明】
【技術分野】
【０００１】
本発明は、洗浄液の圧力を増加させるための高圧ポンプを有する高圧洗浄機器を含み、前記洗浄液を吐出するための２つ以上の吐出ユニットを含み、該２つ以上の吐出ユニットが互いに異なると共に、前記高圧ポンプのポンプ出口と選択的に流体連通することができる、高圧洗浄システムであって、前記吐出ユニットが前記高圧洗浄システムの作動ユニットに接続可能である、又は、作動ユニットが少なくとも１つの吐出ユニット上に配置される、高圧洗浄システムに関する。
【０００２】
本発明は、更に、高圧洗浄システムを作動させるための方法に関する。
【背景技術】
【０００３】
高圧洗浄機器と、作動ユニットと、高圧ポンプのポンプ出口と流体連通することができると共に作動ユニット上で保持される吐出ユニットとを含む高圧洗浄システムが、DE 10 2006 009 855 A1、US 2013/0214059 A1、及びUS 5,381,962に記載される。
【０００４】
高圧洗浄システムの分野において、作動ユニットに選択的に接続することのできる及びこれによって高圧ポンプと流体連通することのできる複数の吐出ユニットを提供することが知られている。それぞれの作動ユニットが上に配置される吐出ユニットも既に知られており、吐出ユニットと共に作動ユニットをユーザにより除去できるように及び所望の吐出ユニットを高圧ポンプと流体連通することができるようにされる。極力良好な洗浄結果を達成するために用途、特に、被洗浄物体の種類及び性質、並びに実施されるべき洗浄の種類（例えば、粗洗浄、研磨洗浄、泡洗浄…）に応じて、ユーザは適切な吐出ユニットを選択する。それ故に、これらの２つ以上の吐出ユニットはその吐出特性が互いに相違する。例えば洗浄液の出力圧力が異なる、ジェット形状が異なる、等。被洗浄物体は工程中に損傷しないことが望ましい。
【先行技術文献】
【特許文献】
【０００５】
【特許文献１】DE 10 2006 009 855 A1
【特許文献２】US 2013/0214059 A1
【特許文献３】US 5,381,962
【発明の概要】
【発明が解決しようとする課題】
【０００６】
取扱いのより容易な、冒頭で言及した種類の高圧洗浄システムを提供することが本発明の目的である。
【課題を解決するための手段】
【０００７】
本発明によれば、この目的は一般的な前記種類の高圧洗浄システムにおいて、前記高圧洗浄システムが入力ユニットを含み、該入力ユニットを介して少なくとも１つの出力パラメータがユーザにより事前決定可能であり、かつ、前記少なくとも１つの出力パラメータが、前記事前決定に従い、前記高圧洗浄システムの前記入力ユニットに連結された制御ユニットにより調節可能であり、かつ、前記高圧洗浄システムが、前記制御ユニットに連結された出力ユニットを含み、前記出力ユニットが、該出力ユニット上に、前記ユーザにより行われた前記事前決定に応じて指示を提供することができ、前記指示が、少なくとも１つの吐出ユニットの勧めを含む、という点で達成される。
【０００８】
本発明による前記高圧洗浄システムにおいて、入力ユニットが設けられる。前記ユーザは少なくとも１つの出力パラメータを事前決定することができる。前記高圧洗浄機器は、前記ユーザの事前決定に応じて、特に、前記ユーザにより行われた前記事前決定に応じてその前記高圧ポンプの作動点を調節することを介して調節される。例えば、前記被洗浄物体の種類及び／又は性質に応じて、並びにこの別法として又は追加として所望の洗浄作業に応じて、前記ユーザは前記少なくとも１つの出力パラメータを事前決定することができる。例えば、特定の洗浄作業において好ましくはどの吐出ユニットが使用されるべきかに関する視覚的な又は可聴の指示を、前記出力ユニットを介して前記ユーザに提供することができる。これによって、前記ユーザにより行われたものとしての前記少なくとも１つの出力パラメータの前記事前決定を考慮して吐出ユニットの前記使用を前記ユーザに対して推奨することが可能である。前記指示は、例えばたった１つではない吐出ユニットの前記勧めを含むことができる。前記指示は、例えば良好な洗浄結果が達成されるようにするために特定の吐出ユニットが出力パラメータとして最小圧力を必要とするという前記考慮を盛り込むことができる。前記出力パラメータとして、例えば対応する圧力又は圧力範囲が前記ユーザにより事前決定される場合、前記制御ユニットにより、その使用に関して適切な前記吐出ユニットを推奨することができる。例えば、前記出力パラメータとして前記洗浄液の体積流量が事前決定される場合、前記事前決定された体積流量がそこから実際に送出されるのにとって十分大きい開口断面をそのノズルが有する吐出ユニットを使用することを、前記指示を介して推奨することができる。例えば、前記洗浄液に混合される洗浄薬品の量が事前決定される場合、極力良好な洗浄結果が達成されるようにするために、洗浄液と洗浄薬品との混合物を吐出するために習慣的に使用される吐出ユニットの使用を、前記指示を介して推奨することができる。前記出力ユニット上で提示される前記指示は、前記少なくとも１つの事前決定済み出力パラメータの前記事前決定に対して不適切な吐出ユニットを使用することに起因した、前記被洗浄物体の潜在的な損傷を防止するようにも働く。
【０００９】
本発明による前記高圧洗浄システムの有利な実施形態において、前記少なくとも１つの事前決定可能な出力パラメータが、前記洗浄液の圧力、前記洗浄液の体積流量、及び／又は、前記洗浄液に混合することのできる洗浄薬品の用量を含むことが有利である。特に前記ユーザが、前記圧力、前記体積流量、及び前記用量を、いずれの場合にも互いとは無関係に、前記入力ユニットを介して事前決定できることを実現することができる。例えばユーザが、少なくとも２つの出力パラメータの前記事前決定を含む洗浄プロフィルを、前記入力ユニットを介して事前決定することにより、これらのパラメータのうちの少なくとも２つが、互いに連結された関係において事前決定されることも考えられる。
【００１０】
有利なことに、前記少なくとも１つの出力パラメータは前記ユーザにより行われた前記事前決定に応じて、前記高圧洗浄機器により制御可能である。例えば、前記洗浄液の圧力が圧力センサにより感知され、前記体積流量が流量センサにより感知され、及び／又は、前記洗浄薬品の前記用量が濃度センサにより感知されて、前記制御ユニットに、対応する信号が提供される。前記信号に応じて、前記制御ユニットは前記ユーザによる前記事前決定に応じて、前記圧力、前記体積流量、及び／又は前記用量を制御することができる。
【００１１】
２つ以上の吐出ユニットが各々、作動ユニットを上に配置させることができることには既に言及した。前記吐出ユニットは、それぞれの前記作動ユニットを介して前記ポンプ出口と流体連通することができる。
【００１２】
別法として又は追加として、２つ以上の吐出ユニットが前記作動ユニットに選択的に接続可能であることを実現することができる。例えば、前記ポンプ出口と流体連通している作動ユニットが、前記２つ以上の吐出ユニットのうちの１つを自己に選択的に接続できることが実現される。従って２つ以上の吐出ユニットが、たった１つの作動ユニットを用いて使用されることが可能である。
【００１３】
別法として又は追加として、前記作動ユニットに接続可能である又は作動ユニットが上に配置される及び２つ以上の吐出ユニットを含んで、そのうちの１つを選択的に選択して前記ポンプ出口と流体連通することのできる吐出装置を前記高圧洗浄システムが含むことを実現することができる。前記吐出装置は、たった１つではない吐出ユニットを含む。所望の前記吐出ユニットを、不使用位置から使用位置に転移させることができる。これによって、それぞれの前記所望の吐出ユニットが前記ポンプ出口と流体連通することができる。このような吐出装置は、作動ユニット上に配置することができ又は、上で言及したように前記高圧洗浄システムの作動ユニットに選択的に接続することができる。
【００１４】
好ましくは前記２つ以上の吐出ユニットは、以下、
‐高圧フラットジェットノズル、
‐特に錐体の曲面で回転する高圧ピンポイントジェットを放射することのできる高圧回転ノズル、
‐高圧ピンポイントジェットノズル、
‐前記高圧フラットジェットノズル、前記高圧回転ノズル、及び前記高圧ピンポイントジェットノズルのノズル開口断面に対してそのノズル開口断面が比較的に大きい低圧洗浄剤ノズル、
‐特に発泡性の洗浄薬品用の容器が上に配置される泡ノズル、
‐ウォッシュブラシ、
‐フードと、前記フードにより境界された収容空間へ移動可能に配置されて加圧洗浄液により駆動されることができるノズル組立体とを含む表面クリーナ
のうちの少なくとも１つを含むことができる。
【００１５】
有利なことに前記少なくとも１つの出力パラメータは、以下、
‐前記少なくとも１つの出力パラメータの値又は値の範囲、
‐前記高圧洗浄機器の作動レベルであって、異なる作動レベルにおいて、少なくとも１つの出力パラメータが、異なる値又は値の範囲を有する、作動レベル。例えば、前記ユーザが、少なくとも１つの出力パラメータの設定値にリンクされる作動レベルを事前決定する、
‐特に被洗浄物体に関する洗浄プロフィルの選択肢であって、異なる洗浄プロフィルにおいて、少なくとも１つの出力パラメータが異なる値又は値の範囲を有する、選択肢。例えば、洗浄プロフィルを事前決定することにより、それに関連する少なくとも１つの出力パラメータが設定される、
のうちの少なくとも１つにより事前決定可能である。
【００１６】
値、値の範囲、又は作動レベルが、直接選択されること又は前記入力ユニットを介して増減することにより増加又は低減されることを実現することができる。例えば、前記作動レベルは、前記入力ユニットの「＋／−」作動要素を介して増加又は低減する。前記値、値の範囲、及び／又は前記作動レベルは、前記入力ユニットを通して対応する数値入力が行われることによって、事前に選択しておくこともできる。
【００１７】
２つ以上の作動レベル及び／又は洗浄プロフィルが、互いに相違する記号、例えば絵文字により符号化されたやり方で、前記ユーザに対して前記入力ユニット上で選択可能に提示される又は選択可能に提示可能であることが有利であることが分かる。このことにより、前記入力ユニットの作動が直感的なものになる。前記作動レベル及び／又は前記洗浄プロフィルは、前記対応する記号を選択することにより事前決定することができる。前記作動レベル及び／又は前記洗浄プロフィルにリンクされる少なくとも１つの出力パラメータを事前決定することができる。
【００１８】
前記入力ユニットを介して、作動レベル及び／又は洗浄プロフィルが選択可能であるやり方でこの作動レベル及び／又は洗浄プロフィルが中に記憶される、前記制御ユニットに連結された又はこの制御ユニットに一体化された記憶ユニットを前記高圧洗浄システムが含み、そこでは前記作動レベル又は前記洗浄プロフィルに関連する少なくとも１つの出力パラメータの値又は値の範囲が記憶されることが有利である。それぞれの作動レベル及び／又はそれぞれの洗浄プロフィルにおける少なくとも１つの出力パラメータの値又は値の範囲は、前記記憶ユニット内に記憶させることができる。前記少なくとも１つの出力パラメータの値を、前記作動レベル及び／又は前記洗浄プロフィルの選択を介して、使い易いやり方で事前決定することができる。
【００１９】
特に前記記憶ユニットの内容は、変更することができる。このことにより、ユーザは作動レベル及び／又は洗浄プロフィルを規定し、作動レベル及び／又は洗浄プロフィルにリンクされる少なくとも１つの出力パラメータの値又は値の範囲を記憶させることができる。続いて、前記出力パラメータを対応する前記作動レベル及び／又は対応する前記洗浄プロフィルを選択することにより、使い易いやり方で事前決定することができる。
【００２０】
空間的に遠隔であるデータ処理装置との好ましくは無線のデータ接続が前記制御ユニットを介して確立可能であり、作動レベル及び／又は洗浄プロフィルに関するデータが、前記データ処理装置から前記制御ユニットに送信可能であると共に前記ユーザにより選択できるよう前記記憶ユニット内に記憶可能であることが有利である。これによって、作動レベル及び／又は洗浄プロフィルの規定、並びに前記作動レベル及び／又は洗浄プロフィルにリンクされる少なくとも１つの出力パラメータの値又は値の範囲を、特に使い易いやり方で前記高圧洗浄システムに付加することができる。例えば前記ユーザは、前記制御ユニットから前記データ処理装置へのデータ接続の前記確立を、前記入力ユニットを介して開始することができる。前記データ処理装置は、予め規定された作動レベル及び／又は洗浄プロフィルを知っていることができる。このデータ処理装置は、例えば前記高圧洗浄システムの製造者により所有又は管理される。少なくとも１つの出力パラメータの値がそれを介して調節される対応する前記データを、前記データ処理装置から例えば前記制御ユニットへ送信（特にダウンロード）し、前記記憶ユニット内に記憶させることができる。これらのデータは、例えば前記作動レベル及び／又は前記洗浄プロフィルを選択するために使用することのできる上述の記号、特に絵文字を含むこともできる。
【００２１】
前記出力ユニットは、好ましくは視覚的出力ユニットであり又は視覚的出力ユニットを含み、好ましくは前記出力ユニット上に前記指示、特に前記勧めを提示することができる。前記指示は、前記視覚的出力ユニットにより単純かつ使い易いやり方で提供することができる。例えば前記出力ユニット上には、前記推奨される吐出ユニットがテキストの形態、又は記号の形態、又は絵文字の形態にして提示される。
【００２２】
有利なことに、前記出力ユニット上に前記少なくとも１つの出力パラメータの前記ユーザの事前決定を提示することができる。これによって、例えば前記ユーザは前記出力ユニットにて、前記少なくとも１つの出力パラメータのどの値又は値の範囲、どの作動レベル、及び／又は、どの洗浄プロフィルをユーザが事前決定したかを指示するフィードバックを受信する。
【００２３】
前記入力ユニットは、例えば少なくとも１つのスイッチ、ボタン、回転ノブ、キー、又はその他の種類の作動要素を含むことができる。
【００２４】
本発明による前記洗浄システムの有利な実施形態において、前記入力ユニットは前記少なくとも１つの出力パラメータを事前決定するための少なくとも１つのタッチセンサ式スクリーン（タッチスクリーン）を含む。例えば前記スクリーン上に、作動レベル及び／又は洗浄プロフィルが、記号又は絵文字を使用して、符号化されたやり方で提示される。前記タッチスクリーンを作動させることにより、前記作動レベル及び／又は前記洗浄プロフィルにリンクされる少なくとも１つのパラメータの値又は値の範囲が事前決定される。
【００２５】
前記入力ユニット及び前記出力ユニットは、好ましくは一体化型入力／出力ユニットを形成し、この一体化型入力／出力ユニットは、好ましくは前記事前決定を受信するための及び前記指示を出力するためのタッチセンサ式スクリーンを含む。ここで、用語「一体化型」は、特に、前記一体化型ユニットが共通のハウジング内に配置されることを意味すると解釈することができる。例として、密閉された、特に防水の一体化型ユニットが実現される。
【００２６】
前記制御ユニットが、少なくとも一部は、前記入力ユニット及び／又は前記出力ユニットを備えた一体化型ユニットを形成することが有利であることが分かる。例えば、密閉された防水のハウジング内に配置される一体化型制御／入力／出力ユニットが設けられる。前記制御ユニットは、少なくとも一部は前記入力ユニット及び／又は前記出力ユニットを備えた一体化型ユニットを形成することができる。このことは、例えば前記一体化型ユニットが作動ユニット上に又は外部付属装置上に配置される場合に有利である。特にこれらの２つの事例において、前記少なくとも１つの出力パラメータを設定するために、例えば前記高圧洗浄機器内に前記制御ユニットの更なる部分品を配置することができ、この部分品がその前記高圧ポンプを制御することができる。
【００２７】
前記入力ユニット、及び／又は前記出力ユニット、及び／又は前記制御ユニットが、少なくとも一部は前記作動ユニット上に配置される又は作動ユニットに含まれることが有利であることが分かる。ユーザが前記作動ユニット上で入力をすること、及び／又は前記作動ユニットにて出力を受信することができることにより、このことは前記ユーザに対して、前記システムの取扱いを促進する。
【００２８】
別法として又は追加として、前記入力ユニット、及び／又は前記出力ユニット、及び／又は前記制御ユニットが、少なくとも一部は、前記高圧洗浄機器上に配置される又はこの高圧洗浄機器に含まれることを実現することができる。
【００２９】
別法として又は追加として、前記入力ユニット、及び／又は前記出力ユニット、及び／又は前記制御ユニットが、少なくとも一部は、好ましくは携帯用付属装置上、特に携帯用コンピュータ上又はスマートフォン上に配置される、又はこの携帯用付属装置、特に携帯用コンピュータ又はスマートフォンに含まれることを実現することができる。このことにより、前記高圧洗浄システムは特に取扱いし易いものになる。前記好ましくは携帯用の付属装置は、例えば、前記外部データ処理装置へのデータ接続を確立し、作動レベル及び／又は洗浄プロフィルに関するデータを送信して、上で記載したように、このデータを前記記憶ユニット内に記憶させる可能性を与える。
【００３０】
上の実施形態によれば、前記高圧洗浄システムがたった１つではない入力ユニット、及び／又は、たった１つではない出力ユニットを含むことを実現することができる。前記制御ユニットは、少なくとも一部は前記作動ユニット内、前記高圧洗浄機器内、及び／又は前記付属装置内に配置することができ、又は、作動ユニット、高圧洗浄機器、及び／又は付属装置により含むことができる。
【００３１】
データが前記作動ユニット及び／又は前記付属装置から前記高圧洗浄機器に、及び／又はその逆に、無線で送信可能であることが有利である。例えば、前記作動ユニット上及び／又は前記付属装置上で前記ユーザによりもたらされる前記事前決定が、前記高圧洗浄機器内の制御ユニットに又はその部分品に送信できるようにするために、ラジオ通信リンクが使用される。
【００３２】
前記高圧洗浄システムが、前記制御ユニットに連結された検出ユニットを含み、該検出ユニットにより、前記作動ユニットに接続される前記吐出ユニット又は前記作動ユニット上に配置される前記吐出ユニットが測定されることができる、ことが有利であることが分かる。
【００３３】
前記検出ユニットは、例えば前記作動ユニット上に配置される又はこの作動ユニットに含まれる。
【００３４】
前記少なくとも１つの吐出ユニットの検出は、例えば機械的、電気的、接触ベースの、無線の、及びラジオ通信（例えばＲＦＩＤ）技術のうちの少なくとも１つを使用して現実化することができる。
【００３５】
前記検出ユニットにより、前記勧めから外れる吐出ユニットが前記出力ユニット上に提供されたかどうかを判定することが可能になる。好ましくは、前記吐出ユニットが前記勧めに応じた吐出ユニットから外れる際、前記制御ユニットにより前記出力ユニット上に、対応する指示、例えば視覚的又は可聴のものを提供することができる。これによって、前記ユーザに前記出力ユニットの選択肢を確認するよう警告することができる。
【００３６】
冒頭で言及したように、本発明は更に方法に関する。
【００３７】
上で言及した種類の高圧洗浄システムを作動させるための方法を提供することが、本発明の目的である。
【００３８】
本発明によれば、この目的は、洗浄液の圧力を増加させるための高圧ポンプを有する高圧洗浄機器を含み、前記洗浄液を吐出するための２つ以上の吐出ユニットを含み、該２つ以上の吐出ユニットが互いに異なると共に、前記高圧ポンプのポンプ出口と選択的に流体連通することができる、高圧洗浄システムを作動させるための方法であって、前記吐出ユニットが前記高圧洗浄システムの作動ユニットに接続可能である、又は、作動ユニットが少なくとも１つの吐出ユニット上に配置され、かつ、前記高圧洗浄システムが入力ユニットを含み、該入力ユニットを介して少なくとも１つの出力パラメータがユーザにより事前決定され、かつ、前記少なくとも１つの出力パラメータが、前記事前決定に従い、前記高圧洗浄システムの前記入力ユニットに連結された制御ユニットにより調節され、かつ、前記高圧洗浄システムが、前記制御ユニットに連結された出力ユニットを含み、該出力ユニット上に、前記ユーザにより行われた前記事前決定に応じて指示が提供され、前記指示が、少なくとも１つの吐出ユニットの勧めを含む、方法において達成される。
【００３９】
前記方法を使用することにより、本発明による前記高圧洗浄システムの前記記載に関連して既に言及した利点を達成することができる。従って繰り返しを回避するために、先の説明の参照を行うことができる。
【００４０】
本発明による前記方法の有利な例示的実施形態が、本発明による前記高圧洗浄システムの有利な実施形態及びその使用から明らかになるであろう。前記有利な実施形態の特徴は、前記方法の有利な例示的実施形態を規定するために使用することができる。
【００４１】
本発明の好適な実施形態の以下の記載は、図面と合わせると、本発明をより詳細に説明するように働く。
【図面の簡単な説明】
【００４２】
【図１】高圧洗浄機器、作動ユニット、複数の吐出ユニット、及び携帯用付属装置を含む、本発明による高圧洗浄システムの部分略図における好適な実施形態を示す図。
【図２】図１の高圧洗浄システムの更なる吐出ユニットを示す図。
【図３】図２の吐出ユニットの底部から見た図。
【図４】図１の高圧洗浄機器の異なる作動レベルを表す記号であり、異なる作動レベル（１、２、又は３）にある高圧洗浄機器の少なくとも１つの出力パラメータは異なる値又は異なる値の範囲を占める、記号を示す図。
【図５】出力パラメータ「圧力」が作動レベル３を占める、図１の高圧洗浄システムの入力兼出力ユニットの上面図。
【図６】出力パラメータ「圧力」が作動レベル２を占める、図５に対応する図。
【図７】出力パラメータ「圧力」が作動レベル１を占める、図５に対応する図。
【図８】図１の高圧洗浄機器の作動の構造及び原理を説明する略ブロック図。
【図９】例えば図１の高圧洗浄システムにおいて使用することのできる入力兼出力ユニットの上面図。
【発明を実施するための形態】
【００４３】
図１は参照符号１０で表される、本発明による高圧洗浄システムの有利な実施形態を示す。高圧洗浄システムは、モータポンプユニット１４を含む高圧洗浄機器１２を含む。モータポンプユニット１４は、高圧ポンプ１６と、高圧ポンプ用のドライブモータ１８とを含む。高圧ポンプ１６に、ポンプ入口２０を介して加圧されるべき洗浄液、特に水を供給することができる。高圧に加圧された洗浄液は、高圧ポンプ１６からそのポンプ出口２２にて吐出することができる。
【００４４】
高圧洗浄機器１２上に配置されるのは、洗浄薬品の貯蔵庫を保持する容器２４である。洗浄液の洗浄能力を向上するために、洗浄液に洗浄薬品を、混合装置２５（図８）を介して混合することができる。洗浄薬品の用量を調節できるよう、混合装置２５は制御することができる。
【００４５】
高圧洗浄システム１０は、高圧ガン２８の形態の作動ユニット２６を含む。ガン２８は、高圧導管３０を介してポンプ出口２２に接続することができる。引金３２の形態の作動要素が作動すると、ガン２８内に配置された弁を開放させる。これによって、ガン２８から加圧洗浄液を吐出することができる。
【００４６】
高圧洗浄システム１０は更に、作動ユニット２６に釈放可能に接続することのできる吐出装置３４を含む。吐出装置３４は共通のハウジング３６内に配置される３つの吐出ユニットを含む。ハウジング３６は例えば吐出装置３４の長手方向軸３８の周りで回転させることができる。このことは、吐出装置３４の３つの吐出ユニットのうちの１つがポンプ出口２２と選択的に流体連通する可能性を与える。対応する吐出ユニットが使用位置を占めると、これに含まれる流体管が、吐出装置３４の接続されるガン２８の流体管と整列状態になる。従ってハウジング３６を長手方向軸３８の周りで回転させることにより、ユーザが選択した３つの吐出ユニットのうちの１つが、ガン２８を介してポンプ出口２２と流体連通することができる。
【００４７】
いずれの場合にもどの吐出ユニットが使用位置を占め、いずれの場合にも他の２つのどの吐出ユニットが不使用位置にあるかに関する指示が、例えばハウジング３６上に設けられる目印４０により、ユーザに与えられる。目印４０は、各吐出ユニットに関連しかつユーザが容易に見てとれる個々の記号を備える。
【００４８】
特に吐出装置３４は、扇形の洗浄ジェットを放射するための高圧フラットジェットノズル４２を含む。吐出装置３４は更に、錐体の曲面で回転する高圧ピンポイントジェットを、それを通して放射させることのできる高圧回転ノズル４４を含む。吐出装置３４は更に、低圧洗浄剤ノズル４６を含む。洗浄剤ノズル４６のノズル開口断面積は、実質、フラットジェットノズル４２及び回転ノズル４４のそれぞれのノズル開口断面積よりも大きい。洗浄剤ノズル４６により、２つの他のノズル４２、４４を用いるよりも少ない圧力下での大量の流量洗浄ジェットの放射が可能になる。
【００４９】
高圧洗浄システム１０は、吐出装置３４の代わりにガン２８に選択的に接続することのできる更なる多数の吐出ユニットを含む。これによって、吐出ユニットの各々がガン２８を介してポンプ出口２２と流体連通することが可能である。
【００５０】
高圧フラットジェットノズル５０を含む吐出ユニット４８が設けられる。
【００５１】
更に設けられるのは、高圧回転ノズル５４を含む吐出ユニット５２である。
【００５２】
同じく設けられるのは、それぞれウォッシュブラシ５８及び６２を含む吐出ユニット５６及び６０であり、ウォッシュブラシ５８、６２は、その形状及び機能に関して互いに相違する。
【００５３】
更に、吐出ユニット６４が設けられる。吐出ユニット６４は泡ノズル６６を含む。泡ノズル６６により、泡の生成する洗浄薬品を吐出ユニット６４の容器６８からそれに混合することのできる洗浄液が泡立つことが可能になる。
【００５４】
図２及び図３は、同じようにガン２８に選択的に接続してポンプ出口２２と流体連通することのできる表面クリーナ７２の形態の更なる吐出ユニット７０を示す。表面クリーナ７２は作業端に、収容空間７６の境界をなすフード７４を含む。収容空間７６内に設けられるのは、軸８０の周りで回転するようにフード７４上で支持されるノズル組立体７８である。ノズル組立体７８は、洗浄液の作用により回転させられ、この洗浄液を被洗浄表面に塗布する。
【００５５】
被洗浄物体の種類及び性質に応じて及び／又は洗浄（例えば、粗洗浄、研磨洗浄、泡洗浄、ブラシ洗浄…）の種類に応じて、ユーザは、吐出装置３４を対応するその吐出ユニット又は他の吐出ユニット４８、５２、５６、６０、６４、又は７０のうちの１つでもってガン２８に接続し、被洗浄物体に洗浄液を塗布することができる。洗浄液は、洗浄薬品に混合させることができ及び／又は泡立てることができる。
【００５６】
ここで物体の種類及び性質に応じて、並びに洗浄の種類に応じて、極力良好な洗浄結果が達成されて物体の損傷が極力回避されることが望ましい。
【００５７】
異なる洗浄結果を達成するために、洗浄システム１０の異なる吐出ユニットが、異なる吐出特性を有する。ところで、一方で高圧フラットジェットノズル４２及び５０が、他方で高圧回転ノズル４４及び５４が、同一の吐出特性を有することを実現することができる。
【００５８】
特に図８から明らかであるように、高圧洗浄システム１０は、高圧洗浄機器１２内に制御ユニット８２を含む。制御ユニット８２により、高圧ポンプ１６が制御されることが可能になるのであり、高圧ポンプにより提供される洗浄液の圧力が調節される。別法として又は追加として、洗浄液の体積流量を調節することができる。
【００５９】
圧力センサ８４及び流量センサ８６が、圧力信号及び体積流量に関する信号をそれぞれ制御ユニット８２に送る。制御ユニット８２は、前記それぞれの信号を考慮しつつ、制御ユニット８２用に事前決定されたそれぞれの値又は値の範囲に応じて、圧力又は体積流量を制御することができる。
【００６０】
更に容器２４からの洗浄薬品の用量を調節するために、制御ユニット８２は混合装置２５に連結される。洗浄液中の洗浄薬品の用量を測定することのできる濃度センサ８８の信号を、制御ユニット８２に供給することができる。このことは、洗浄薬品の用量が制御ユニット８２に供給される値又は値の範囲に応じて制御されることを可能にする。
【００６１】
圧力、体積流量、及び洗浄薬品の用量は、高圧洗浄機器１２の出力パラメータである。高圧洗浄機器１２内で、少なくとも１つの出力パラメータをユーザにより事前決定することができる。このことを、以下で特に図４〜図８を参照して説明することにする。この説明は、例として出力パラメータ「洗浄液の圧力」を使用して行うことにする。ただし、以下の説明は出力パラメータ「体積流量」及び出力パラメータ「洗浄薬品の用量」にも同様に当てはまる。
【００６２】
更に本発明の以下の説明は、例として選択的に使用位置に転移することのできる３つの異なる吐出ユニットを包含する吐出装置３４を使用して行うことにする。ただし、以下の説明は、高圧洗浄システム１０の他の吐出ユニット４８、５２、５６、６０、６４、及び７０にも同様に当てはまる。
【００６３】
洗浄液の圧力及び吐出装置３４の使用に対する本発明の説明の例示的な制限は、本発明については非限定的である。
【００６４】
図４はユーザに対するその取扱いを促進するために、高圧洗浄システム１０を使用するための指示書において例えば示され得る３つの記号９０、９２、及び９４を、例示の仕方で示す。記号９０、９２、９４の描写は、高圧洗浄機器１２上及び／又は作動ユニット２６上に提供されることも考えられる。
【００６５】
記号９０は、高圧洗浄機器１２の作動レベル「１」を表す。この記号は作動レベル「１」が、好ましくは比較的「軟性の」（例えば壊れやすい）物体を洗浄することに向けられることをユーザに知らせる。記号９０は、例えば庭の柵の絵文字を含む。
【００６６】
記号９２は、高圧洗浄機器１２の作動レベル「２」を表す。この記号は作動レベル「２」が、好ましくは、比較的「中硬質の」（例えば普通の耐久性をもつ）物体を洗浄することに向けられることをユーザに知らせる。例として、記号９２は自動車の絵文字を含む。
【００６７】
記号９４は、高圧洗浄機器１２の作動レベル「３」を表す。この記号は、作動レベル「３」が、好ましくは比較的「硬質の」（例えば極めて耐久力のある）物体を洗浄することに向けられることをユーザに知らせる。例として、記号９４は煉瓦積みの絵文字を含む。
【００６８】
高圧洗浄機器１２は、３つの異なる作動レベル「１、２、３」において作動させることができる。高圧ポンプ１６により提供される洗浄液のそれぞれの圧力は、各作動レベルにおいて異なる。特に各作動レベルは、他の作動レベルの値の範囲と相違する出力パラメータ「圧力」の値の範囲を含む。洗浄液の圧力は、作動レベル「１」において最低となり、作動レベル「２」において高めとなり、作動レベル「３」において最高となる。
【００６９】
作動レベル「１、２、３」に加えて、中間レベル、つまり作動レベル「１．５」及び「２．５」が設けられる。作動レベル「１．５」では、出力パラメータ「圧力」の値の範囲は作動レベル「１」に関連するものよりも高いが、作動レベル「２」に関するものよりも低い。これに対応して、作動レベル「２．５」に関する出力パラメータ「圧力」の値の範囲は、作動レベル「２」に関連するものよりも高いが、作動レベル「３」に関連するものよりも低い。
【００７０】
高圧洗浄システム１０は、入力ユニット９６、入力ユニットに連結された制御ユニット９８、及び、制御ユニット９８に連結された出力ユニット１００を含む。本事例において、入力ユニット９６、制御ユニット９８、及び出力ユニット１００は、一体化型ユニット１０２として一体化される。
【００７１】
例としてユニット１０２は、密閉型の特に防水のハウジング１０４内に格納される。本事例において、一体化型ユニット１０２はガン２８上で、例えば引金３２に近接して配置される。これによってユーザは、出力ユニット１００を容易に注視し、入力ユニット９６を容易に作動させることができる。
【００７２】
上で既に記載したように、入力ユニット及び出力ユニット１００が高圧洗浄機器１２上に配置されることも考えられる。
【００７３】
制御ユニット９８は、高圧洗浄機器１２内の制御ユニット８２と通信することができる。特に通信は、例えばラジオにより無線であるものとすることができる。これを目的として、制御ユニット９８及び制御ユニット８２はそれぞれ、ラジオ部材１１２及び１１４を含む。
【００７４】
特に制御ユニット９８及び制御ユニット８２は、一方はユニット１０２内にあり、他方は高圧洗浄機器１２内にあり、互いから空間的に分離する高圧洗浄システム１０の共通の制御ユニットの一部と見做すことができる。
【００７５】
制御ユニット９８に一体化されるのは、記憶ユニット１０６である。
【００７６】
本事例において、入力ユニット９６はキー１０８、１１０の形態の作動要素を含む。キー１０８は「−」記号で標記され、キー１１０は「＋」記号で標記される。
【００７７】
本事例における出力ユニット１００は、高圧洗浄システム１０の状況に関する情報、特にこの高圧洗浄システムによって占められる作動レベルを視覚的に提示するための視覚的出力ユニットである。更に出力ユニット１００は、ユーザにより入力ユニット９６上で事前決定される特定の作動レベルに応じて吐出装置３４の吐出ユニットのうちのどれが使用されるべきかに関する勧めを指示する指示を含む。このことを以下で説明することにする。
【００７８】
ユーザは、高圧洗浄機器１２の作動レベル「１／１．５／２／２．５／３」を、キー１０８、１１０を使用して増加的に（キー１１０）又は減少的に（キー１０８）事前決定することができる。そうする際ユーザは、例えば記号９０、９２、及び９４による案内を受信することができる。ユーザによりもたらされた事前決定が制御ユニット９８に送信される。事前決定されたそれぞれの作動レベルに関連する圧力の値の範囲が記憶ユニット１０６から読み出され、対応する信号が制御ユニット８２に無線で送信される。制御ユニット８２は、高圧ポンプ１６を制御することができる。上で言及したように、洗浄液の圧力は制御することができる。
【００７９】
ユーザにより事前決定された作動レベルが制御ユニット８２に送信され、制御ユニット８２の記憶ユニットから、前記作動レベルに関連する圧力の値の範囲が読み出され、この値の範囲が圧力制御の基礎として使用されることも考えられる。
【００８０】
一方で制御ユニット８２は、作動レベルで表される選択済み出力パラメータ「圧力」の事前決定の視覚的提示を、出力ユニット１００を介して提供することができる。例えば、図５に作動レベル「３」（硬質）を示す。作動レベル「３」はユーザにより事前決定されたものである。
【００８１】
出力ユニット１００上に更に設けられるのは、少なくとも１つの吐出ユニットの勧めを含む指示であり、前記指示は出力パラメータ「圧力」のユーザの事前決定に応じている。
【００８２】
図５の例において、選択済み作動レベル「３」の指示１１６が設けられることを示す。指示１１６は、記号１１８を含む第１勧めを含む。これに加えて、記号１２０を含む第２勧めが提供される。
【００８３】
記号１１８は、高圧フラットジェットノズルを表す。この記号は、作動レベル「３」にあるときに、高圧フラットジェットノズルを含む吐出ユニットを使用することをユーザに対して推奨する。
【００８４】
記号１２０は、高圧回転ノズルを表す。この記号は、作動レベル「３」にあるときに、別法として高圧回転ノズルを含む吐出ユニットを使用できるであろうことをユーザに対して表す。
【００８５】
吐出装置３４の現在前提とされる使用に関連して、ユーザは指示１１６に一致するよう、高圧フラットジェットノズル４２を含むその吐出ユニット又は高圧回転ノズル４４を含むその吐出ユニットを使用することができる。ユーザは吐出ユニットの正しい選択肢を、目印４０を介して検証することができる。
【００８６】
別法として、ノズル４２及び４４を含む吐出ユニットの代わりに、ノズル５０を含む吐出ユニット４８又はノズル５４を含む吐出ユニット５２をガン２８に接続することができる。
【００８７】
指示１１６は一方で極力良好な洗浄結果が達成されて、他方で被洗浄物体の損傷が極力回避されるようにするために、選択済み作動レベルに最も良好に適合する吐出ユニットをユーザに対して推奨するという目的に適う。
【００８８】
このことを、以下で図６を参照してより詳細に説明することにする。図６の例において、ユーザは入力ユニット９６を介して作動レベル「２」を選択した。作動レベル「２」は、出力パラメータ「圧力」のより低い値の範囲にリンクされる。この場合、指示１１６は勧めを１つしか含まない。具体的には、高圧フラットジェットノズル４２に関する記号１１８の提示によるものである。これによって、吐出装置３４の高圧フラットジェットノズル４２を含む吐出ユニットが使用されるべきであることがユーザに対して表される。別法として、高圧フラットジェットノズル５０を含む吐出ユニット４８を使用することもできよう。
【００８９】
本事例では、記号１２０、従って高圧回転ノズル４４を使用する勧めを省略する。というのも、最適な洗浄効果を達成するために、例えば高圧回転ノズルは、作動レベル「２」の圧力を超える洗浄液の圧力を必要とするからである。例えば根本的な用途、つまり「中硬質な」物体の洗浄に対して、この物体へ高圧回転ノズルを使用すればこの物体を損傷し得るという懸念があるため、記号１２０を介して指示される勧めも省略することができる。
【００９０】
ユーザの事前決定に応じて作動レベル「１」を占める状態が入力ユニット９６上に表されるところの図７を参照して、本発明を更に説明する。事前決定に応じて、指示１１６はここでも記号１１８を介して、高圧フラットジェットノズルを使用する勧めを含む。更に、指示１１６は対応する記号１２２を介した、低圧洗浄剤ノズルを使用する勧めを含む。
【００９１】
それ故に作動レベル「１」にある際には、吐出装置３４の高圧フラットジェットノズル４２又は低圧洗浄剤ノズル４６を含む吐出ユニットを使用できるであろうことがユーザに対して表される。別法として、高圧フラットジェットノズル５０を含む吐出ユニット４８を使用することができよう。
【００９２】
作動レベル「１」にある際、混合装置２５を介して洗浄薬品を付加することができる。
【００９３】
本発明による高圧洗浄システム１０は、特に取扱いがし易いことが特徴である。一方でこの高圧洗浄システムは、入力ユニット９６を介して少なくとも１つの出力パラメータを事前決定する可能性を与える。ユーザによる事前決定に応じて、高圧洗浄機器１２は所望の出力パラメータを、事前決定されたものとして調節する。他方で、ユーザには出力ユニット１００を介してフィードバックが提供される。このフィードバックは、指示１１６を、故に、最も良好に適合する吐出ユニットを使用する勧めを含む。これによって、洗浄結果を最適化することができ、被洗浄物体に生じる損傷のリスクを低減することができる。
【００９４】
図９は、一体化型ユニット１０２の代わりに高圧洗浄システム１０と共に使用できるであろう一体化型ユニット１２４の図を略上面図において示す。一体化型ユニット１２４は、本事例ではタッチセンサ式スクリーン（タッチスクリーン１２８）として構成される一体化型入力／出力ユニット１２６を含む。更に、このユニット１２４に制御ユニット９８が一体化される（図示せず）。
【００９５】
タッチスクリーン１２８上に提示されるのは、複数の記号１３０特に絵文字である。各記号１３０は、例えば記憶ユニット１０６内又は制御ユニット８２の記憶ユニット内に記憶される洗浄プロフィルにリンクされる。各洗浄プロフィルは、特に出力パラメータ「圧力」の値の範囲にリンクされる。更に先の実施形態を参照すると、洗浄薬品の体積流量及び／又は用量等、更なる出力パラメータへのリンクも存在することができる。
【００９６】
ユーザは対応する記号１３０をタッチスクリーン１２８上で選択することにより、少なくとも１つの出力パラメータを事前決定することができる。制御ユニット８２の制御下で、高圧洗浄機器１２の状況が調節される。ユーザによる事前決定に応じて、タッチスクリーン１２８上に指示１１６が出力される。
【００９７】
図９の例において、ユーザが「煉瓦積み」の記号１３０を選択した。記号１３０を視覚的に強調する。「煉瓦積み」の洗浄プロフィルにリンクされるのは、例えば先の例の作動レベル「３」にある洗浄液と同様の、比較的に高圧の洗浄液である。
【００９８】
それ故に、図９の例における指示１１６は、高圧フラットジェットノズルを含む吐出ユニットを使用するための記号１１８を含む勧めと、高圧回転ノズルを含む吐出ユニットを使用するための記号１２０を含む勧めとを含む。
【００９９】
図１に示すのは、高圧洗浄システムの更なる部品としての付属装置１３２である。付属装置、好ましくは携帯用付属装置は、例えば携帯用コンピュータ又はスマートフォン１３４である。スマートフォン１３４は、一体化型ユニット１０２又は１２４の別法として又は追加として使用することができる。タッチスクリーン１３８は、一体化型入力／出力ユニット１３６として使用することができる。制御ユニット９８の代わりに、スマートフォン１３４の内部データ処理装置を使用することができる。
【０１００】
スマートフォン１３４が使用されて少なくとも１つの出力パラメータが事前決定される場合、タッチスクリーン１３８への入力及びタッチスクリーンからの出力は、例えば図９の例及びタッチスクリーン１２８に関連して上で述べたように現実化される。
【０１０１】
有利な実施形態において、制御ユニット９８及び／又はスマートフォン１３４の内部制御ユニットは、通信網１４０（例えばインターネット）上で、空間的に遠隔であるデータ処理装置１４２との無線データ接続を確立することができる。これを目的として、データ処理装置１４２は、例えばラジオ部材１１２又はスマートフォン１３４のラジオ部材と通信するためのラジオ部材１４４を含む。
【０１０２】
データ処理装置１４２は、例えば高圧洗浄システム１０の製造者により所有又は管理され、データベース１４６に連結される。例えばデータベース１４６は、洗浄プロフィルを中に記憶させることができる。本明細書において使用するように、このことは特に、対応する洗浄プロフィルが、少なくとも１つの出力パラメータの値又は値の範囲の事前決定を含むことを意味する。洗浄プロフィルの規定を含むデータを通信網１４０上で制御ユニット９８に又はスマートフォン１３４に送信し、これらのデータを記憶ユニット１０６内に又はスマートフォン１３４の記憶装置内にそれぞれ記憶させることができる。それ故に、洗浄プロフィルはダウンロードすることができる。例えば洗浄プロフィルは、タッチスクリーン１２８上又は１３８上にそれぞれ提示するための記号１３０を更に含む。
【０１０３】
上で記載したように、ユーザは対応する記号１３０を選択することにより、高圧洗浄機器１２の少なくとも１つの出力パラメータの事前決定を行うことができる。
【０１０４】
更に、高圧洗浄システム１０は検出ユニット１４８を含むことができる。検出ユニット１４８は、例えばガン２８上に配置され、制御ユニット９８に又はスマートフォン１３４のデータ処理装置に連結される。
【０１０５】
検出ユニット１４８により、どの特定の吐出ユニットがガン２８に接続されるか又は吐出装置３４の吐出ユニットのうちのどれが使用位置を占めるかを検出することができる。図８は吐出ユニット１５０を概略的に示す。
【０１０６】
検出された吐出ユニットが、指示１１６に応じた吐出ユニットから外れる場合、対応する指示をユーザに提供することができる。例として、指示が出力ユニット１００上に提示される。指示１１６に一致する吐出ユニットが、ガン２８に接続されてしまう又は選択されてしまうまで高圧洗浄機器１２及び／又はガン２８が洗浄液の吐出を抑制することも可能である。
【０１０７】
検出ユニット１４８は吐出ユニットを、例えば機械的、電気的、又はその他の種類の技術を使用して、接触技術又は非接触技術により検出することができる。例としてＲＦＩＤ技術により、非接触式の検出が行われる。
【図１】
0006517334.tif 000002
【図２】
0006517334.tif 000003
【図３】
0006517334.tif 000004
【図４】
0006517334.tif 000005
【図５】
0006517334.tif 000006
【図６】
0006517334.tif 000007
【図７】
0006517334.tif 000008
【図８】
0006517334.tif 000009
【図９】
0006517334.tif 000010